(57)【要約】【課題】良好な打球感が得られるとともに、打球面全体での打球のコントロール性について均一性に優れたラケットおよびラケットフレームを提供する。【解決手段】ラケットの打球部において、隣接する縦方向ガットの間隔の平均値は１１．５ｍｍ以上１３．０ｍｍ以下である。隣接する横方向ガットの間隔の平均値は１４．５ｍｍ以上１６．５ｍｍ以下である。縦方向ガットの間隔の標準偏差は１．０ｍｍ以下であり、横方向ガットの間隔の標準偏差は１．０ｍｍ以下である。縦方向ガットの間隔に対する横方向ガットの間隔の割合は１．０超えである。打球部を３行３列の部分領域に分割し、中央に位置する中央部分領域における面圧に対する、中央部分領域から見て打球面の最先端部側に隣接する先端側部分領域における面圧の比は１．０２以上である。部分領域のうち中央部分領域以外の８つの部分領域における、面圧の最小値に対する最大値の比は１．１０以下である。【選択図】図２
2013255583.tif 000002
【特許請求の範囲】
【請求項１】
打球部と、シャフト部と、グリップ部とから構成されるラケットであって、
前記打球部には、前記ラケットの延在方向である縦方向に延びる複数の縦方向ガットと、前記縦方向ガットに交差する複数の横方向ガットが張られ、
隣接する前記縦方向ガットの間隔の平均値は１１．５ｍｍ以上１３．０ｍｍ以下であり、
隣接する前記横方向ガットの間隔の平均値は１４．５ｍｍ以上１６．５ｍｍ以下であり、
前記縦方向ガットの間隔の標準偏差は１．０ｍｍ以下であり、
前記横方向ガットの間隔の標準偏差は１．０ｍｍ以下であり、
前記縦方向ガットの間隔に対する前記横方向ガットの間隔の割合は１．０超えであり、
前記打球部において前記縦方向ガットおよび前記横方向ガットが張られた打球面の、前記ラケットの延在方向における最先端部から５０ｍｍだけ前記グリップ部寄りに、前記ラケットの延在方向に垂直であって前記打球面に平行な第１の境界線を規定し、
前記打球面の前記最先端部とは反対側の最後端部から５０ｍｍだけ前記最先端部寄りに、前記第１の境界線と平行に伸びる第２の境界線を規定し、
前記第１の境界線に沿った方向において、前記打球面の両端部からそれぞれ５０ｍｍだけ前記打球面の中央寄りに、前記第１の境界線に垂直であって前記打球面に平行な第３の境界線および第４の境界線を規定し、
前記第１〜第４の境界線によって囲まれた領域を、前記第１の境界線に沿った方向である横方向および前記第３の境界線に沿った方向である縦方向にそれぞれ３等分した補助境界線を規定することで、３行３列の部分領域に分割し、
前記部分領域のうち、中央に位置する中央部分領域における面圧に対する、前記中央部分領域から見て前記打球面の前記最先端部側に隣接する先端側部分領域における面圧の比は１．０２以上であり、
前記部分領域のうち前記中央部分領域以外の８つの部分領域における、面圧の最小値に対する最大値の比は１．１０以下である、ラケット。
【請求項２】
前記打球部には、前記縦方向ガットが１６列、前記横方向ガットが１６列張られている、請求項１に記載のラケット。
【請求項３】
前記打球部には、前記縦方向ガットが１６列、前記横方向ガットが１７列張られている、請求項１に記載のラケット。
【請求項４】
打球部と、シャフト部と、グリップ部とから構成されるラケットフレームであって、
前記打球部には、前記ラケットフレームの延在方向である縦方向に延びる複数の縦方向ガットと、前記縦方向ガットに交差する複数の横方向ガットを張ることが可能なように複数のガット用穴が設置され、
前記打球部に前記縦方向ガットと前記横方向ガットとを、張力を２０ｌｂｓ以上４０ｌｂｓ以下という条件で張ったときに、
隣接する前記縦方向ガットの間隔の平均値は１１．５ｍｍ以上１３．０ｍｍ以下となり、
隣接する前記横方向ガットの間隔の平均値は１４．５ｍｍ以上１６．５ｍｍ以下となり、
前記縦方向ガットの間隔の標準偏差は１．０ｍｍ以下となり、
前記横方向ガットの間隔の標準偏差は１．０ｍｍ以下となり、
前記縦方向ガットの間隔に対する前記横方向ガットの間隔の割合は１．０超えとなり、
前記打球部において前記縦方向ガットおよび前記横方向ガットが張られた打球面の、前記ラケットの延在方向における最先端部から５０ｍｍだけ前記グリップ部寄りに、前記ラケットの延在方向に垂直であって前記打球面に平行な第１の境界線を規定し、
前記打球面の前記最先端部とは反対側の最後端部から５０ｍｍだけ前記最先端部寄りに、前記第１の境界線と平行に伸びる第２の境界線を規定し、
前記第１の境界線に沿った方向において、前記打球面の両端部からそれぞれ５０ｍｍだけ前記打球面の中央寄りに、前記第１の境界線に垂直であって前記打球面に平行な第３の境界線および第４の境界線を規定し、
前記第１〜第４の境界線によって囲まれた領域を、前記第１の境界線に沿った方向である横方向および前記第３の境界線に沿った方向である縦方向にそれぞれ３等分した補助境界線を規定することで、３行３列の部分領域に分割し、
前記部分領域のうち、中央に位置する中央部分領域における面圧に対する、前記中央部分領域から見て前記打球面の前記最先端部側に隣接する先端側部分領域における面圧の比は１．０２以上となり、
前記部分領域のうち前記中央部分領域以外の８つの部分領域における、面圧の最小値に対する最大値の比は１．１０以下となるように、前記打球部が構成されている、ラケットフレーム。
【発明の詳細な説明】
【技術分野】
【０００１】
この発明は、ラケットおよびラケットフレームに関し、より特定的には優れたコントロール性と良好な打球感とを両立できるラケットおよびラケットフレームに関する。
【背景技術】
【０００２】
従来、テニスラケットなど、打球部にガットを張って使用するラケットおよび当該ラケットを構成するラケットフレームが知られている。これらのラケットでは、打球時における打球のコントロール性を高めることが求められている。たとえば、特許第２７２６２３１号公報では、打球部でのガットの張り方を工夫することで、打球面の中央部にて打球したときにボールにスピンをかけやすくするとともに、反発特性も向上させたラケットが開示されている。
【０００３】
具体的には、通常はラケットの打球部では、中央部ほどガットのピッチが小さくなっているのに対して、上記特許第２７２６２３１号公報では、ラケットの延在方向に沿った縦方向に延びるガットのピッチについて、打球部の中央部でのピッチが相対的に大きく、打球部の両端部に向かうにつれて段階的に当該ピッチが小さくなっている。また、打球部において上記縦方向と垂直な横方向に延びるガットのピッチについても、打球部の中央部でのピッチが相対的に大きく、打球部の両端部（先端および後端）に向かうにつれて段階的に当該ピッチが小さくなっている。
【先行技術文献】
【特許文献】
【０００４】
【特許文献１】特許第２７２６２３１号公報
【発明の概要】
【発明が解決しようとする課題】
【０００５】
上述したようにガットのピッチを調整したラケットでは、打球部の中央部についてはガットのピッチが大きくなっているため、打球面の面圧が低下して打球時にボールとガットとの接触時間が長くなるとともに当該ボールのガットに対する食い込み量も増えることから打球のコントロール性が向上する。しかし、発明者が検討したところ、上記のようなラケットでは以下のような問題があった。
【０００６】
すなわち、上述した従来のラケットでは、上記打球面において、ラケットの延在方向（縦方向）および当該縦方向に垂直な横方向にて上記中央部に隣接する部分（以下、第２の領域とも言う）について、縦方向に延びるガットのピッチと横方向に延びるガットのピッチのいずれか一方のみが大きくなる一方、当該ピッチの他方は小さくなっている。そのため、これらの第２の領域では、中央部よりも程度は小さいものの、ある程度面圧が低下している。一方、打球面において上記中央部と斜め方向において隣接する部分（すなわち、縦方向に延びるガットのピッチおよび横方向に延びるガットのピッチの両方が相対的に小さく設定された部分：以下、第３の領域とも言う）では、打球面の面圧が上記中央部および第２の領域に比べて高くなっているため、打球のコントロール性という観点からは上記第２の領域と比較してもその特性に大きな差がある。
【０００７】
つまり、上述した従来のラケットでは、打球部の中央部については面圧を下げて良好な打球のコントロール性を得られるものの、当該中央部の周囲の領域（上記第２の領域および第３の領域）では、面圧に差がある部分が混在しており、打球のコントロール性が局所的に変わる（つまり打球のコントロール性について均一ではない）という問題があった。
【０００８】
この発明は、上記のような課題を解決するためになされたものであり、この発明の目的は、良好な打球感が得られるとともに、打球面全体での打球のコントロール性について均一性に優れたラケットおよびラケットフレームを提供することである。
【課題を解決するための手段】
【０００９】
本発明に従ったラケットは、打球部と、シャフト部と、グリップ部とから構成されるラケットであって、打球部には、ラケットの延在方向である縦方向に延びる複数の縦方向ガットと、縦方向ガットに交差する複数の横方向ガットとが張られている。隣接する縦方向ガットの間隔の平均値は１１．５ｍｍ以上１３．０ｍｍ以下である。隣接する横方向ガットの間隔の平均値は１４．５ｍｍ以上１６．５ｍｍ以下である。縦方向ガットの間隔の標準偏差は１．０ｍｍ以下であり、横方向ガットの間隔の標準偏差は１．０ｍｍ以下である。縦方向ガットの間隔に対する横方向ガットの間隔の割合は１．０超えである。打球部において縦方向ガットおよび横方向ガットが張られた打球面の、ラケットの延在方向における最先端部から５０ｍｍだけグリップ部寄りに、ラケットの延在方向に垂直であって打球面に平行な第１の境界線を規定する。打球面の最先端部とは反対側の最後端部から５０ｍｍだけ最先端部寄りに、第１の境界線と平行に伸びる第２の境界線を規定する。第１の境界線に沿った方向において、打球面の両端部からそれぞれ５０ｍｍだけ打球面の中央寄りに、第１の境界線に垂直であって打球面に平行な第３の境界線および第４の境界線を規定する。第１〜第４の境界線によって囲まれた領域を、第１の境界線に沿った方向である横方向および第３の境界線に沿った方向である縦方向にそれぞれ３等分した補助境界線を規定することで、３行３列の部分領域に分割する。部分領域のうち、中央に位置する中央部分領域における面圧に対する、中央部分領域から見て打球面の最先端部側に隣接する先端側部分領域における面圧の比は１．０２以上である。部分領域のうち中央部分領域以外の８つの部分領域における、面圧の最小値に対する最大値の比は１．１０以下である。
【００１０】
このように、打球部において縦方向ガットの間隔（ピッチ）および横方向ガットの間隔（ピッチ）がそれぞれほぼ同じに設定されることで、打球部の中央部での打球のコントロール性を高めるとともに、当該中央部の周囲に位置する外周部においても面圧がほぼ均一になっていることから打球のコントロール性が均一になっており、打球面全体としての打球のコントロール性が良好になっている。さらに、打球面の縁が振動の節で打球面の中央部が振動の腹となるようなガットの固有振動モードにおいて、打球部の周辺部において中央部と同程度の間隔（ピッチ）でガットが張られているため、打球部中央部に比べて周辺部でのガットの間隔（ピッチ）が大きくなっている場合に比べて、節の位置に近い部分での剛性が高くガットの固有振動数を高くでき、結果的に良好な打球感が得られる。
【００１１】
上記ラケットにおいて、打球部には、縦方向ガットが１６列、横方向ガットが１６列張られていてもよい。また、上記ラケットにおいて、打球部には、縦方向ガットが１６列、横方向ガットが１７列張られていてもよい。このような構成のラケットにおいて本発明を適用することで、特に打球面全体での良好なコントロール性と良好な打球感とを両立することができる。
【００１２】
この発明に従ったラケットフレームは、打球部と、シャフト部と、グリップ部とから構成されるラケットフレームであって、打球部には、ラケットフレームの延在方向である縦方向に延びる複数の縦方向ガットと、縦方向ガットに交差する複数の横方向ガットを張ることが可能なように複数のガット用穴が設置されている。打球部に縦方向ガットと横方向ガットとを、張力を２０ポンド（ｌｂｓ）以上４０ポンド（ｌｂｓ）以下という条件で張ったときに、以下の条件を満足するように、打球部が構成されている。当該条件は、隣接する縦方向ガットの間隔の平均値は１１．５ｍｍ以上１３．０ｍｍ以下となる。隣接する横方向ガットの間隔の平均値は１４．５ｍｍ以上１６．５ｍｍ以下となる。縦方向ガットの間隔の標準偏差は１．０ｍｍ以下となる。横方向ガットの間隔の標準偏差は１．０ｍｍ以下となる。縦方向ガットの間隔に対する横方向ガットの間隔の割合は１．０超えとなる。打球部において縦方向ガットおよび横方向ガットが張られた打球面の、ラケットの延在方向における最先端部から５０ｍｍだけグリップ部寄りに、ラケットの延在方向に垂直であって打球面に平行な第１の境界線を規定する。打球面の最先端部とは反対側の最後端部から５０ｍｍだけ最先端部寄りに、第１の境界線と平行に伸びる第２の境界線を規定する。第１の境界線に沿った方向において、打球面の両端部からそれぞれ５０ｍｍだけ打球面の中央寄りに、第１の境界線に垂直であって打球面に平行な第３の境界線および第４の境界線を規定する。第１〜第４の境界線によって囲まれた領域を、第１の境界線に沿った方向である横方向および第３の境界線に沿った方向である縦方向にそれぞれ３等分した補助境界線を規定することで、３行３列の部分領域に分割する。当該部分領域のうち、中央に位置する中央部分領域における面圧に対する、中央部分領域から見て打球面の最先端部側に隣接する先端側部分領域における面圧の比は１．０２以上となる。部分領域のうち中央部分領域以外の８つの部分領域における、面圧の最小値に対する最大値の比は１．１０以下となる。
【００１３】
このようにすれば、打球部において縦方向ガットのピッチおよび横方向ガットのピッチがそれぞれほぼ同じに設定することで、打球部の中央部での打球のコントロール性を高めるとともに、当該中央部の周囲に位置する外周部においても面圧をほぼ均一にできることから打球のコントロール性が均一になっており、打球面全体としての打球のコントロール性が良好なラケットを実現できる。さらに、打球面の縁が振動の節で打球面の中央部が振動の腹となるようなガットの固有振動モードにおいて、打球部の周辺部において中央部と同程度のガットピッチでガットが張られているため、打球部中央部に比べて周辺部でのガットピッチが大きくなっている場合に比べて、節の位置に近い部分での剛性が高くガットの固有振動数を高くでき、結果的に良好な打球感が得られるラケットを実現できる。
【発明の効果】
【００１４】
本発明によれば、打球面全体での良好なコントロール性と良好な打球感とを両立することが可能なラケットが得られる。
【図面の簡単な説明】
【００１５】
【図１】本実施の形態のラケットフレームを示す模式図である。
【図２】本実施の形態のラケットの打球部を示す模式図である。
【図３】図２に示したラケットの打球部における面圧の測定領域を説明するための模式図である。
【図４】図２に示したラケットの打球部の変形例を示す模式図である。
【図５】図２に示したラケットの打球部の変形例を示す模式図である。
【図６】図２に示したラケットの打球部の変形例を示す模式図である。
【図７】本発明の実施例のラケットにおける打球部の面圧分布を示す図である。
【図８】比較例のラケットにおける打球部の面圧分布を示す図である。
【発明を実施するための形態】
【００１６】
以下、図面に基づいて本発明の実施の形態を説明する。なお、以下の図面において同一または相当する部分には同一の参照番号を付し、その説明は繰返さない。
【００１７】
図１〜図３を参照して、本発明によるラケットフレーム１を説明する。図１を参照して、ラケットフレーム１は、ガット（縦方向ガット２ａおよび横方向ガット２ｂ）が張設されることにより打球面が形成される打球部４と、プレーヤーがラケットフレーム１を保持するグリップ部６と、打球部４とグリップ部６とを連結する左右２本のシャフトを含むシャフト部５とを備える。ラケットフレーム１では、打球部４の先端側であるトップ部と反対側に位置するヨーク部側にシャフトが接続されている。２本のシャフトはグリップ部６の上端にそれぞれつながるように形成されている。
【００１８】
これらの打球部４、グリップ部６およびシャフト部５は、たとえば繊維強化樹脂によって一体的に形成される管状構造を有している。グリップ部６では、たとえば繊維強化樹脂により構成される筒状のベース部の外周をグリップレザーなどが巻回被覆した状態となっている。
【００１９】
図１に示したラケットフレーム１の打球部４において、図２に示すようにガットが張られることによりラケットが構成される。具体的には、打球部４においては、ラケットフレーム１（またはラケット）の延在方向である縦方向に延びる複数の縦方向ガット２ａと、縦方向ガット２ａに交差する複数の横方向ガット２ｂが張られている。隣接する縦方向ガット２ａの間隔ＶＰはほぼ一定であり、当該間隔ＶＰの平均値は１１．５ｍｍ以上１３．０ｍｍ以下である。隣接する横方向ガット２ｂの間隔ＬＰの平均値は１４．５ｍｍ以上１６．５ｍｍ以下である。縦方向ガット２ａの間隔ＶＰの標準偏差は１．０ｍｍ以下である。横方向ガット２ｂの間隔ＬＰの標準偏差は１．０ｍｍ以下である。縦方向ガット２ａの間隔ＶＰに対する横方向ガット２ｂの間隔ＬＰの割合は１．０超えである。図２に示した打球部４には、縦方向ガット２ａが１６列、横方向ガット２ｂが１７列、それぞれ配置されている。これらの縦方向ガット２ａおよび横方向ガット２ｂは、張力を２０ポンド（ｌｂｓ）以上４０ポンド（ｌｂｓ）以下とした条件で張られている。
【００２０】
打球部４には、上記縦方向ガット２ａおよび横方向ガット２ｂを張ることができるように、複数のガット用穴が設置されている。当該ガット用穴は、たとえば縦方向ガット２ａまたは横方向ガット２ｂを挿通するガット保護体が、打球部４を構成するフレーム部分に形成された保護体用挿入孔に挿入固定されることにより構成されていてもよい。
【００２１】
図２および図３を参照して、打球部４において縦方向ガット２ａおよび横方向ガット２ｂが張られた打球面の、ラケットフレームの延在方向における最先端部から距離Ｌ１（具体的には５０ｍｍ）だけグリップ部６寄りに、ラケットフレームの延在方向に垂直であって打球面に平行な第１の境界線１２を規定する。打球面の最先端部とは反対側の最後端部から距離Ｌ２（具体的には５０ｍｍ）だけ最先端部寄りに、第１の境界線１２と平行に伸びる第２の境界線１５を規定する。第１の境界線１２に沿った方向において、打球面の両端部からそれぞれ５０ｍｍだけ打球面の中央寄りに、第１の境界線１２に垂直であって打球面に平行な第３の境界線２２および第４の境界線２５を規定する。
【００２２】
図３に示すように、第１〜第４の境界線１２、１５、２２、２５によって囲まれた領域を第１の境界１２線に沿った方向である横方向に３等分した補助境界線１３、１４、および当該領域を第３の境界線２２に沿った方向である縦方向に３等分した補助境界線２３、２４を規定する。このようにして、第１〜第４の境界線１２、１５、２２、２５によって囲まれた領域を３行３列の部分領域３１〜３９に分割する。部分領域３１〜３９のうち、中央に位置する中央部分領域３５における面圧に対する、中央部分領域３５から見て打球面の最先端部側に隣接する先端側部分領域３２における面圧の比は１．０２以上である。部分領域３１〜３９のうち中央部分領域３５以外の８つの部分領域３１〜３４、３６〜３９における、面圧の最小値に対する最大値の比は１．１０以下である。
【００２３】
なお、ここで面圧とは、各部分領域３１〜３９の中央部に位置する縦方向ガット２ａと横方向ガット２ｂとの交点に、打球面に対して垂直な方向から一定の加重を加えた状態としたときの、打球面に対して垂直な方向での当該交点の変位量の逆数である。
【００２４】
このように、打球部４において縦方向ガット２ａの間隔ＶＰおよび横方向ガットの間隔ＬＰがそれぞれほぼ同じに設定されることで、打球部４の中央部（中央部分領域３５）での打球のコントロール性を高めるとともに、当該中央部分領域３５の周囲に位置する外周部（図３の部分領域３１〜３４、３６〜３９）においても面圧がほぼ均一になっていることから打球のコントロール性が打球部において均一になっており、打球面全体としての打球のコントロール性が良好になっている。さらに、打球面の縁が振動の節で打球面の中央部が振動の腹となるようなガットの固有振動モードにおいて、打球部４の周辺部において中央部と同程度の間隔（ピッチ）で縦方向ガット２ａおよび横方向ガット２ｂが張られているため、打球部中央部に比べて周辺部でのガットの間隔が大きくなっている場合に比べて、節の位置に近い部分での剛性が高くガットの固有振動数を高くでき、結果的に良好な打球感が得られる。
【００２５】
次に、図４を参照して、図２に示したラケットの変形例を説明する。図４に示したラケットは、基本的には図２に示したラケットと同様の構成を備えるが、打球部に張られる横方向ガット２ｂの列数が異なっている。すなわち、図４に示したラケットでは、打球部に縦方向ガット２ａが１６列張られ、横方向ガット２ｂも１６列張られている。隣接する縦方向ガット２ａの間隔ＶＰはすべてほぼ同じである。また、隣接する横方向ガット２ｂの間隔ＬＰもすべてほぼ同じである。そして、図４に示したラケットの他の構成は、基本的に図２に示したラケットと同様である。このような構成のラケットによっても、図１〜図３に示したラケットと同様の効果を得ることができる。さらに、図４に示したラケットでは、横方向ガット２ｂの列数が図２に示したラケットにおける横方向ガット２ｂの列数より少ないため、横方向ガット２ｂの間隔ＬＰを図２に示したラケットより大きくすることが可能である。このため、打球時にボールが打球面に食い込む量（隣接する横方向ガット２ｂの間の隙間にボールが食い込む量）を図２に示したラケットでの当該食い込み量より大きくできる。したがって、打球時のボールのコントロール性をより高めることができる。
【００２６】
次に、図５を参照して、図２に示したラケットの別の変形例を説明する。図５に示したラケットは、基本的には図２に示したラケットと同様の構成を備えるが、打球部を構成するフレームの外形が図２に示したラケットとは異なっている。図５に示したラケットでは、打球部に縦方向ガット２ａが１６列張られ、横方向ガット２ｂが１７列張られている。そして、図５に示したラケットの他の構成は、基本的に図２に示したラケットと同様である。このような構成のラケットによっても、図１〜図３に示したラケットと同様の効果を得ることができる。
【００２７】
次に、図６を参照して、図２に示したラケットの他の変形例を説明する。図６に示したラケットは、基本的には図５に示したラケットと同様の構成を備えるが、打球部に張られる横方向ガット２ｂの列数が異なっている。すなわち、図６に示したラケットでは、打球部４に縦方向ガット２ａが１６列張られ、横方向ガット２ｂも１６列張られている。隣接する縦方向ガット２ａの間隔ＶＰはすべてほぼ同じである。また、隣接する横方向ガット２ｂの間隔ＬＰもすべてほぼ同じである。そして、図６に示したラケットの他の構成は、基本的に図５に示したラケットと同様である。このような構成のラケットによっても、図１〜図３に示したラケットと同様の効果を得ることができる。さらに、図６に示したラケットでは、横方向ガット２ｂの列数が図５に示したラケットにおける横方向ガット２ｂの列数より少ないため、横方向ガット２ｂの間隔ＬＰを図５に示したラケットより大きくすることが可能である。このため、打球時にボールが打球面に食い込む量（隣接する横方向ガット２ｂの間の隙間にボールが食い込む量）を図５に示したラケットでの当該食い込み量より大きくできる。したがって、打球時のボールのコントロール性をより高めることができる。
【００２８】
（実験例１）
本発明の実施例および比較例のラケットについて、ガットピッチを測定した。
【００２９】
＜試料＞
本発明の実施例１〜実施例４、および比較例の試料であるラケットを準備した。具体的には、実施例１のラケットは、その全長が６９０ｍｍ、ラケットの延在方向における打球部の長さが３２９．９ｍｍ、当該延在方向に直交する方向における打球部の幅が２５４．８ｍｍ、縦方向ガットの列数が１６、横方向ガットの列数が１７である。
【００３０】
実施例２のラケットは、その全長が６９５ｍｍ、ラケットの延在方向における打球部の長さが３２９．９ｍｍ、当該延在方向に直交する方向における打球部の幅が２５４．８ｍｍ、縦方向ガットの列数が１６、横方向ガットの列数が１６である。
【００３１】
実施例３のラケットは、その全長が６９０ｍｍ、ラケットの延在方向における打球部の長さが３２１．２ｍｍ、当該延在方向に直交する方向における打球部の幅が２４８．０ｍｍ、縦方向ガットの列数が１６、横方向ガットの列数が１７である。
【００３２】
また、実施例４のラケットは、その全長が６８５ｍｍ、ラケットの延在方向における打球部の長さが３２１．２ｍｍ、当該延在方向に直交する方向における打球部の幅が２４８．０ｍｍ、縦方向ガットの列数が１６、横方向ガットの列数が１６である。
【００３３】
また、比較例のラケットは、その全長が６９０ｍｍ、ラケットの延在方向における打球部の長さが３２９．９ｍｍ、当該延在方向に直交する方向における打球部の幅が２５４．８ｍｍ、縦方向ガットの列数が１６、横方向ガットの列数が２１である。また、打球部にガットを張る時の条件は、張力を３０ｌｂｓとした。
【００３４】
以下に表１に、実施例１〜実施例４および比較例における、ガットピッチのデータを示す。
【００３５】
【表１】
2013255583.tif 000003
【００３６】
なお、表１において横ガットのガットピッチ（間隔）に付されたＩＤ番号１〜２０は、図２を参照して、打球部４の先端側における横方向ガット２ｂの間の間隔をＩＤ番号１として、グリップ側に向かうほどＩＤ番号が大きくなるように、各横方向ガット２ｂの間のそれぞれの間隔に付されている。また、表１において縦ガットのガットピッチ（間隔）に付されたＩＤ番号１〜１５は、図２を参照して、打球部４の向かって左側における縦方向ガット２ａの間の間隔をＩＤ番号１として、打球部の向かって右側に行くほどＩＤ番号が大きくなるように、各縦方向ガット２ａの間のそれぞれの間隔に付されている。
【００３７】
＜測定内容＞
これらの実施例１〜実施例４および比較例の試料について、縦方向ガット（縦ガットとも言う）と横方向ガット（横ガットとも言う）とのそれぞれについて、ガットピッチの平均値および標準偏差、さらに縦ガットのガットピッチに対する横ガットのガットピッチの比（横ガットのガットピッチ／縦ガットのガットピッチ）の最大値および最小値を算出した。
【００３８】
＜結果＞
実施例１〜実施例４および比較例について、縦ガットおよび横ガットのガットピッチの平均値および標準偏差、さらに縦ガットのガットピッチに対する横ガットのガットピッチの比（横／縦のガットピッチの比）の最大値および最小値を以下の表２に示す。
【００３９】
【表２】
2013255583.tif 000004
【００４０】
表２からもわかるように、実施例１〜実施例４の試料では縦ガットのガットピッチおよび横ガットのガットピッチとも、それぞれの標準偏差が１．０ｍｍ以下となっており、また縦ガットのガットピッチに対する横ガットのガットピッチの割合（横／縦のガットピッチ比）の値は、実施例１〜実施例４ではいずれも１．１以上となっていた。
【００４１】
（実験例２）
本発明の実施例および比較例のラケットについて、打球面の面圧分布をシミュレーションにより求めて比較した。
【００４２】
＜計算対象＞
上記実験例１の実施例１の試料と比較例の試料との条件を用いた。
【００４３】
＜計算方法＞
ここでは、ラケットフレームやガットの物性は考慮せず、単純に打球面の形状とガットピッチとにより規定される構造を前提とした。そして、縦ガットと横ガットとの交点のすべてについて、打球面に垂直な方向から一定の荷重を加え、当該打球面に垂直な方向における当該交点の変位量を、Ｃ言語を用いたシミュレーションコードプログラムにより算出した。当該シミュレーションでは、ラケットフレームとガットが交わる位置でのガットの変位量は０として、また、ガットの張力は任意の定数として、さらに、縦ガットと横ガットの交点は上下に重なっているのではなく、縦ガットと横ガットの滑りは無視して縦ガットと横ガットの交点が一体化していると仮定した条件により算出した。そして、算出した変位量の逆数を、当該交点における面圧とした。
【００４４】
＜結果＞
シミュレーションによる面圧の分布について、計算結果を以下の表３に示す。
【００４５】
【表３】
2013255583.tif 000005
【００４６】
表３には、図３の部分領域３１〜３９（領域３１〜３９とも言う）に対応する部分の面圧の計算結果を示している。表３における面圧の値は、実施例１の領域３５（打球部のほぼ中央に位置する領域）の面圧値を１として標準化している。また、表３では、９つの領域３１〜３９のうち、中央に位置する領域３５以外の領域３１〜３４、３６〜３９（外周部）における、面圧の最小値に対する最大値の比（最大値／最小値）も記載されている。さらに、表３では、領域３５の面圧に対する領域３２の面圧の比（外周部面圧／中央部面圧）も記載されている。
【００４７】
表３から分かるように、本発明の実施例１〜実施例４では、外周部における面圧の最小値に対しる最大値の値はいずれも１．１以下となっており、外周部での面圧の均一性が比較例のラケットより本発明の実施例は優れていることが分かる。さらに、外周部面圧／中央部面圧の値も、本発明の実施例１〜実施例４では１．０５といずれも比較例のラケットでの当該値より小さくなっており、打球部の中央部と外周部との面圧の差も本発明の実施例では比較例のラケットに比べて小さくなっている。つまり、本発明の実施例１〜実施例４では打球面での面圧のばらつきが比較例に比べて小さくなっていることがわかる。
【００４８】
さらに実施例１および比較例に関する計算結果から求めた面圧分布の図を、図７および図８に示す。図７は、実施例１の打球部における面圧の分布を示している。図７および図８では、実施例１のラケットにおける打球部の最大変位量に対応する面圧値（打球部の中央部における面圧値）を基準値（１．０）として、当該基準値を基準にして規格化した値を示している。具体的には、図７の領域４１は、面圧の値が１．０以上１．１未満、領域４２は、面圧の値が１．１以上１．２未満、領域４３は、面圧の値が１．２以上１．３未満、領域４４は、面圧の値が１．３以上となっている部分である。
【００４９】
また、図８は、比較例の打球部における面圧の分布を示している。図８における領域４１〜領域４４は、図７の領域４１〜４４に対応する。図８に示した打球部の中央部に位置する領域４５は、面圧の値が１．０未満の部分である。
【００５０】
このように、比較例では面圧が打球部の中央部と外周部との差が本発明の実施例１に比べて大きくなっている。さらに、比較例では打球部の外周部において、面圧の相対的に高い部分の広さが、周方向において大きく変動していることが分かる。これは、打球部の外周部において面圧の相対的に高い部分と相対的に低い部分とが形成されていることを意味し、外周部における面圧の均一性が低下していると言える。
【００５１】
一方、図７に示した実施例１では、打球部の外周部における面圧の周方向における変動は、図８に示した比較例よりも小さくなっている。つまり、実施例１のラケットでは、打球部の外周部における面圧の均一性が高く、安定した打球のコントロール性が得られることが分かる。
【００５２】
今回開示された実施の形態および実験例はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００５３】
この発明は、打球部にガットを張ってボールなどを打撃するラケットに特に有利に適用される。
【符号の説明】
【００５４】
１  ラケットフレーム、２ａ  縦方向ガット、２ｂ  横方向ガット、４  打球部、５  シャフト部、６  グリップ部、１２  第１の境界線、１３，１４，２３，２４  補助境界線、１５  第２の境界線、２２  第３の境界線、２５  第４の境界線、３１〜３９  部分領域、４１〜４５  領域。
【図１】
2013255583.tif 000006
【図２】
2013255583.tif 000007
【図３】
2013255583.tif 000008
【図４】
2013255583.tif 000009
【図５】
2013255583.tif 000010
【図６】
2013255583.tif 000011
【図７】
2013255583.tif 000012
【図８】
2013255583.tif 000013